(57)【要約】【課題】次槽への越流を防ぐことができ、あるいは、保守点検時のサンプリングや、液中ＢＯＤ、ｐＨ等の測定も容易に行なえる（汚水浄化槽用の）生物担体押え部材の提供。【解決手段】平面板状部２から上方へ隆起する凸部３を形成させて、略平面板状通水性の生物担体押え部材１とする。凸部３は、平面視で、生物担体押え部材１の全面積の１０％以上６０％以下の面積を占めていることが好ましく、凸部３の高さ（Ｌ１）は、一般家庭用浄化槽に用いる場合では、液面（ＷＬ）から概ね１０〜１００ｍｍが露出する程度とする。【選択図】図１
2004344706.tif 000002
【特許請求の範囲】
【請求項１】
上方へ隆起する凸部を有してなる、略平面板状通水性の生物担体押え部材。
【請求項２】
凸部は、平面視で、１０％以上６０％以下の面積を占めている、請求項１の生物担体押え部材。
【請求項３】
請求項１又は２の生物担体押え部材を用いた汚水浄化槽。
【発明の詳細な説明】
【０００１】
【発明の属する技術分野】
本発明は、家庭等から排出される屎尿やその他の生活排水（単に、汚水ともいう）を処理する汚水浄化槽に好適に使用される生物担体押え部材に関するものである。
【０００２】
【従来の技術】
図５は、従来の生物担体押え部材を用いた汚水浄化槽（部分縦断面図）の一例である。図示されるように、汚水浄化槽の好気処理槽１０内では、充填した生物担体（生物付着材、充填材、接触材あるいは濾材、などともいう。）を押えたり支持するために、上部、下部及び中間部に各々、通水板２４、２５、２６を配して、その通水板どうしで挟まれる空間部に生物担体を充填し、その生物担体に生物細胞を付着・増殖させ、汚水中の有機物を好気的に分解・処理するものである（例えば、特許文献１参照）。
【０００３】
図６は、従来の生物担体押え部材を用いた別例の汚水浄化槽（部分縦断面図）で、この場合は、液面ＷＬよりも上方に（上）通水板２４を設置している（例えば、特許文献２参照）。
【０００４】
【特許文献１】
特開平１１−９０１１３号公報
【０００５】
【特許文献２】
特開２０００−２１０６９０号公報
【０００６】
【発明が解決しようとする課題】
しかし、図５のように、生物担体を押える（上）通水板２４が液中に浸るように配した場合、汚水が流入する（上）通水板２４付近は汚水濃度が高く、生物担体だけではなく、（上）通水板２４にも生物細胞（生物膜）が付着して、場合によっては上通水板２４の穴（又は網目）が閉塞したり、その閉塞によって汚水が次槽へ越流する等の支障が生じる。
また、図６の別例の場合、上通水板２４の穴（又は網目）の閉塞は防げるが、保守点検時のサンプリングや、液中の溶存酸素量（ＢＯＤ）、水素イオン濃度（ｐＨ）等の測定が困難であったりの問題が生じる。
【０００７】
本発明は、これらの問題を解決しようとするものであり、上通水板に生物細胞（生物膜）が多量に付着しても完全には閉塞せず、したがって、次槽への越流を防ぐことができ、あるいは、保守点検時のサンプリングや、液中のＢＯＤ、ｐＨ等の測定も容易に行なえる上通水板（すなわち、生物担体押え部材）を提供するものである。
【０００８】
【課題を解決するための手段】
上記課題を達成するため、本発明者らは種々検討し、上通水板（生物担体押え部材）の一部が常に液面よりも上方にあるように工夫することによって、その上通水板（生物担体押え部材）の穴（網目）の閉塞は防止できることに着想し、本発明を完成した。
【０００９】
すなわち、本発明は、（平面板状部２から）上方へ隆起する凸部３を有してなることを特徴とする、略平面板状通水性の（汚水浄化槽用の）生物担体押え部材１である。
【００１０】
また、本発明は、上記生物担体押え部材１を用いた汚水浄化槽にも関するものである。
【００１１】
【作用】
本発明の生物担体押え部材１では、平面板状部２から上方へ隆起するように凸部３が形成されており、生物担体押え部材１の一部においては液に浸らずに常に液面よりも上方にある。そのため、液中にある生物担体押え部材に生物細胞（生物膜）付着し、生物担体押え部材の穴（網目）が閉塞しても、液面よりも上方の凸部３では穴（網目）の閉塞が起こらない。
【００１２】
【発明の実施の形態】
以下、図面を参照して、本発明を更に具体的に説明する。
図１は、本発明の一例の生物担体押え部材１の斜視図である。生物担体押え部材１は、上方に隆起した凸部３（図１では３箇所）を有し、その凸部３の一部は槽内液面ＷＬよりも常に上方にあるように設計されている。また、その生物担体押え部材１には、槽内に充填した生物担体よりも小さな穴（孔状、スリット状、格子状若しくは網目状）が多数形成されていて、汚水を自由に通すが生物担体を通さない（生物担体は流失させない）構造である。
【００１３】
ここで、生物担体押え部材１の（全体の）平面視大きさは、汚水浄化槽における好気処理槽１０の平面視大きさに適合する大きさとする。また、凸部（隆起部）３は、平面視で、生物担体押え部材１の面積の概ね１０％以上６０％以下の面積を占めていることが好ましい。凸部３の高さ（Ｌ１）は、汚水浄化槽の大きさによっても異なるが、一般家庭用浄化槽に用いる場合は、液面（ＷＬ）から概ね１０〜１００ｍｍが露出する程度とする。
【００１４】
生物担体押え部材１の材質は、通常は、ポリプロピレン、ポリエチレン、ポリ塩化ビニル等が用いられ、ステンレス、亜鉛めっき、銅などの金属製とすることもできる。なお、生物担体押え部材１の板厚は規模、材質によっても異なるが、概ね０．５〜１０ｍｍ程度である。
【００１５】
図２は、本発明の生物担体押え部材１を用いた汚水浄化槽の好気処理槽１０の部分で、槽内液がＷＬにあるとき（運転中）である。好気処理槽１０は、仕切板４と仕切板５と外槽７とで囲まれており、生物担体を保持するための生物担体支え（通水板）６ｂを下部に配し、上部には生物担体押え部材１を配しており、また、上半分とした下半分とを分ける中間の位置には別の生物担体支え（通水板）６ａを配している。生物担体面押え部材１の平面板状部２は、通常、ＷＬ下に没している一方で、凸部３の一部はＷＬ上に露出している。
【００１６】
そして、汚水の流れは、通常、図２に示すような流れＡである。濃度の高い液が流入する生物担体押え部材１付近では、押え部材１の穴（網目）部に生物細胞（生物膜）が付着しやすく、時間の経過とともにこれが肥大化し、穴（網目）を閉塞させる。ところで、生物担体押え部材１の平面板状部２の穴（網目）が閉塞して液面がやや上昇しても、ＷＬよりも高い位置まで隆起した凸部３を形成させているので、図２に示すような流れＢのように、凸部３における穴（網目）から槽下部への液の流入（移流）が起こり、極端な水位上昇と次槽への液越流とを防ぐことができる。
【００１７】
なお、時間経過と共に凸部３にも生物細胞（生物膜）が付着し、凸部３の穴（網目）も閉塞してくるが、この場合は、完全に水没している生物担体押え部材１を用いた場合に比べて、生物細胞（生物膜）の成長速度は緩やかである。また、一般家庭用では４ヶ月に１回又はそれ以上の頻度の保守点検が義務付けられているので、その際に、生物担体押え部材１の清掃を行うことによって汚水の流れを正常に保つことができる。
【００１８】
図３は上記生物担体押え部材１を用いた汚水浄化槽の概略構成図である。次に、この図を参照して本発明の汚水浄化槽について説明する。
【００１９】
汚水浄化槽は、上流側から、汚水中の沈降性固形物を重力下に沈降させる（嫌気的）沈殿分離槽第一室１４、続いて沈殿分離第二室１５があり、その後流に好気的に生物処理する好気処理槽１０（上部に好気条件下で生物処理する生物反応室１１が形成され、下部にＳＳを濾過して濾液を次槽へ移流させる濾過室１２が形成されている）、処理水槽１７、及び消毒槽１８がある。これら各槽は、仕切壁９、４、５、３７等によってそれぞれ仕切られている。但し、ＳＳは浮遊性懸濁物質あるいは汚泥の意味である。
【００２０】
なお、沈殿分離槽第一室１４及び沈殿分離槽第二室１５では、嫌気的生物分解機能を高めるために、槽内に充填材（生物担体、濾床）を充填することもできる。
【００２１】
生物反応室１１では、好気的微生物によって液中の有機物を分解除去する。槽内には、微生物の保持・増殖に好適な生物担体を充填し、好気濾床（微生物反応用）を形成させている。なお、この濾床は、生物担体が固定された固定床であっても、液とともに流動する流動床であってもよい。この際、好気的条件を維持させるためにブロワ２０から散気部材（散気管）３９を通して空気を吐出する。
【００２２】
生物反応室１１へ流れ込んだ液は、室内の好気濾床を下向流で流れる。そこで有機物が生物分解されると、その一部は汚泥に転換され、汚泥は増える。
【００２３】
濾過室１２では、生物反応室１１から流れ込んだＳＳを濾過し、その濾液を次槽へ移流させる。汚泥を濾過・捕捉するため、濾過室１２内には濾材を充填した濾過用濾床が形成されている。濾過用濾床を流れる流の方向は、下向流である。
【００２４】
濾過用濾床に捕捉されたＳＳは蓄積すると閉塞等が起こるため、定期的に逆洗が必要となる。所定の時刻になると、タイマー４１が働いてブロワ２０が稼動し、逆洗管２１及びエアリフトポンプ管（逆洗排液返送用）１９の両方に空気を送り、逆洗する。逆洗排液はエアリフトポンプ管１９を用いて沈殿分離槽第一室４へ返送する。
【００２５】
消毒槽１８では、消毒薬によって大腸菌や細菌等を殺菌消毒する。消毒後の処理液は、放流口４２から汚水浄化槽外へ排出する。
【００２６】
汚水浄化槽には、槽内の保守点検及び清掃を容易に行うことができるように、上部にマンホールが設けてあり、そのマンホールにはマンホールカバー１３が取り付けられている。
【００２７】
なお、図３の汚水浄化槽を用いて水位上昇実験した結果を図４のグラフを示した。
【００２８】
【発明の効果】
本発明の生物担体押え部材は、構造が簡単であり、閉塞による越流が起こりにくい。
本発明の汚水浄化槽によれば、安定した汚水処理を行うことができ、また、保守点検時のサンプリングや、液中溶存酸素量、水素イオン濃度等の測定、水質の確認等も容易に行なえる。
【図面の簡単な説明】
【図１】本発明の生物担体押え部材の斜視図（Ａ）及び縦断面図（Ｂ）。
【図２】本発明の生物担体押え部材を用いた好気処理槽の縦断面図。
【図３】図２の好気処理槽を組み込んだ汚水浄化槽。
【図４】図３の汚水浄化槽を用いた水位上昇実験結果のグラフ。
【図５】従来の生物担体押え部材を用いた汚水浄化槽の部分縦断面図。
【図６】従来の別例の生物担体押え部材を用いた汚水浄化槽の部分縦断面図。
【符号の説明】
１：生物担体押え部材    ２：平面板状部
３：凸部      ４、５：仕切板
６ａ、６ｂ：生物担体支え（通水板）
７：外槽    ８：生物担体    ９：仕切板
１０：好気処理槽（１１＋１２）
１１：（好気的）生物反応室    １２：濾過室
１３：マンホールカバー  １４：沈殿分離槽第一室
１５：沈殿分離槽第二室    １７：処理水槽
１８：消毒槽  １９：エアリフトポンプ
２０：ブロワ        ２１：逆洗管
２４：（上）通水板    ２５：（中）通水板
２６：（下）通水板    ３９：散気管
４１：タイマー        ４２：放流口
ＷＬ：液面
【図１】
2004344706.tif 000003
【図２】
2004344706.tif 000004
【図３】
2004344706.tif 000005
【図４】
2004344706.tif 000006
【図５】
2004344706.tif 000007
【図６】
2004344706.tif 000008